(57)【特許請求の範囲】
【請求項１】
開状態と閉状態に亘って移動可能であって、開状態にて機器本体の内側に位置するスライド蓋と、該スライド蓋をガイドするレール部材を備えたカバー装置であって、
前記スライド蓋には、外周面から突出した複数の突軸と、機器本体側の面に形成した少なくとも１つの突部を設け、
前記レール部材には、前記複数の突軸に対する第１のガイドレール及び前記突部に対する第２のガイドレールを前記スライド蓋の移動方向に沿って設け、
前記閉状態では前記複数の突軸が前記第１のガイドレールと当接し、前記スライド蓋が前記閉状態から前記開状態へ移動する途中で、前記複数の突軸のうち少なくとも１つが前記第１のガイドレールから外れて前記突部が前記第２のガイドレールと当接することを特徴とするカバー装置。
【請求項２】
前記複数の突軸は、前記スライド蓋の移動方向に対して平行な外周面に配設され、
前記開状態では、前記スライド蓋の突軸が前記第１のガイドレールと当接し、かつ前記スライド蓋の突部が前記第２のガイドレールと当接することを特徴とする請求項１に記載のカバー装置。
【請求項３】
前記突部は、前記スライド蓋の移動方向と直交する方向において対をなす２つの突軸が形成された位置の中央に形成され、または当該２つの突軸が形成された位置の中央とその一方の突軸との間に形成されていることを特徴とする請求項２に記載のカバー装置。
【請求項４】
前記レール部材と前記スライド蓋に取り付けられる付勢手段をさらに備え、
前記付勢手段は、前記閉状態にて前記スライド蓋を閉じる方向に付勢し、前記開状態にて前記スライド蓋を開く方向に付勢することを特徴とする請求項１ないし３のいずれか１項に記載のカバー装置。
【請求項５】
前記機器本体には前記スライド蓋の閉位置を規定する位置決め部を設け、
前記レール部材は前記スライド蓋の開位置を規定する位置決め部を設けたことを特徴とする請求項１ないし４のいずれか１項に記載のカバー装置。
【請求項６】
前記スライド蓋に設けた摺動部が前記レール部材又は機器本体の壁に当接することにより、前記スライド蓋の移動方向と直交する方向における当該スライド蓋の位置が規制されることを特徴とする請求項１ないし５のいずれか１項に記載のカバー装置。
【請求項７】
請求項１ないし６のいずれか１項に記載のカバー装置を備えた電子機器。
【請求項８】
請求項１ないし６のいずれか１項に記載のカバー装置を備えた撮像装置。
【発明の詳細な説明】
【技術分野】
【０００１】
本発明は、開閉式のスライド蓋を備えた電子機器において、本体内部にスライド蓋が収納される開閉構造に関するものである。
【背景技術】
【０００２】
従来、デジタルカメラやデジタルビデオカメラ等の電子機器には、粉塵や雨滴等から記憶媒体や外部接続端子を保護するカバーが設けられている。その中でも、スライド式開閉カバー（スライド蓋）には、手指の力で押圧しながら機器本体の内部へカバーを収納することで開く方式（インナースライド式）が知られている。
特許文献１に開示のカバー開閉装置は、ホルダー（３）にて、カバー（２）の開き方向に対して斜めにガイド溝（６０，６３）が形成されている。これらのガイド溝に沿って、カバー（２）の側方に突設された突軸（４１，４３）が摺動してカバー（２）が開く。
【先行技術文献】
【特許文献】
【０００３】
【特許文献１】特開平０９−１３９５８２号公報
【発明の概要】
【発明が解決しようとする課題】
【０００４】
しかしながら、上記特許文献１では４つの突軸が、ホルダー側壁の各ガイド溝に係合されて摺動する構造となっているために、以下のような問題点があった。
ホルダーのガイド溝には、カバーの開閉方向（特許文献１の図２の上下方向）における端部に設けた全ての突軸が係合されるため、カバーをその開状態と閉状態で収納するスペースが必要である。さらには、カバーがスライドして機器本体内部に収納されるためには、カバーの突軸が開状態と閉状態で斜めに移動するためのスペース（ホルダーの奥行方向の収納空間）も必要である。よって、限られた空間内でスライド蓋を機器本体に収納することが困難である。
本発明の目的は、スライド蓋を有する電子機器において、スライド蓋を機器本体の内側に収納する場合のスペース効率を高めることである。
【課題を解決するための手段】
【０００５】
上記課題を解決するために、本発明に係る装置は、開状態と閉状態に亘って移動可能であって、開状態にて機器本体の内側に位置するスライド蓋と、該スライド蓋をガイドするレール部材を備えたカバー装置であって、前記スライド蓋には、外周面から突出した複数の突軸と、機器本体側の面に形成した少なくとも１つの突部を設け、前記レール部材には、前記複数の突軸に対する第１のガイドレール及び前記突部に対する第２のガイドレールを前記スライド蓋の移動方向に沿って設けている。前記閉状態では前記複数の突軸が前記第１のガイドレールと当接し、前記スライド蓋が前記閉状態から前記開状態へ移動する途中で、前記複数の突軸のうち少なくとも１つが前記第１のガイドレールから外れて前記突部が前記第２のガイドレールと当接する。
【発明の効果】
【０００６】
本発明によれば、スライド蓋を機器本体の内側に収納する場合のスペース効率を高めることができる。
【図面の簡単な説明】
【０００７】
【図１】本発明の実施形態に係る電子機器としてビデオカメラの外観例を示す斜視図である。
【図２】スライド蓋の閉状態（Ａ）と開状態（Ｂ）を示す図である。
【図３】スライド蓋を背面から見た場合の斜視図である。
【図４】ジャックホルダーの構造を示す斜視図である。
【図５】背面から見た閉状態のスライド蓋と本体カバーを（Ａ）に示し、背面から見た開状態のスライド蓋と本体カバーを（Ｂ）に示す斜視図である。
【図６】背面から見たスライド蓋の開閉構造を、スライド蓋の閉状態（Ａ）と開状態（Ｂ）で示す図である。
【図７】ジャックホルダーに対して、スライド蓋の閉状態（Ａ）、開閉途中状態（Ｂ）、開状態（Ｃ）を示す斜視図である。
【発明を実施するための形態】
【０００８】
以下に、本発明の実施形態に係る電子機器を、図面を用いて詳細に説明する。
図１は本発明の実施形態に係る電子機器の一例としてビデオカメラ１の外観例を示す斜視図である。図１にはビデオカメラ１の表示部６を本体から外側に開くことで、本体カバー２が露出した状態を示す。本体カバー２はカメラ本体の側面部を構成し、スライド蓋３が設けられている。スライド蓋３は開状態と閉状態に亘って移動可能であり、本体カバー２に形成した開口を閉塞する閉状態にてビデオカメラ１の機器本体の内側に位置する。スライド蓋３は閉状態にて外部接続端子５を覆い隠し、開状態で外部接続端子５を外部に露出させる。図１にはスライド蓋３が本体カバー２の内側に収納された開状態を示す。
ジャックホルダー４は外部接続端子５を保持する保持部材であって、スライド蓋３をガイドするガイドレールを備えたレール部材でもある。外部接続端子５には各種ジャックが使用され、不図示の接続ケーブルで外部装置と接続される。表示部６はビデオカメラ１の本体に対して開閉可能に取り付けられ、収納状態（表示部６が閉じた状態）では本体カバー２を覆い隠す。
【０００９】
図２はスライド蓋３の拡大図であり、スライド蓋３の閉状態（Ａ）と開状態（Ｂ）を示す。スライド蓋３の外表面には指掛け部３ａが設けられている。操作者は、スライド蓋３の下部または指掛け部３ａを図２の上方に押しながらスライドさせることにより、図２（Ａ）に示す閉状態から図２（Ｂ）に示す開状態へとスライド蓋３が移動する。操作者は図示しない接続ケーブルを使用する際、開状態で外部接続端子５に接続する。スライド蓋３は開状態ではビデオカメラ１の機器本体の内側に位置するため、本体カバー２より外方には突出しない。このため、表示部６がビデオカメラ１に収納された状態にて、スライド蓋３の一部が表示部６に当接してその収納を阻害することはなく、またデザイン上の観点から見栄えも良くなる。
【００１０】
次に、スライド蓋３の開閉機構について、図３乃至６を用いて説明する。
図３はスライド蓋３を背面、つまり機器本体側から見た場合の斜視図である。スライド蓋３は突軸３１乃至３４と、突部３５を備えており、これらは後述する本体カバー２とジャックホルダー４に設けられたレール上を摺動する。４つの突軸３１乃至３４は、スライド蓋３の側面部から外方に突出し、スライド蓋３の移動方向に対して平行な外周面の４箇所に配設される。また、本例に示す突部３５はスライド蓋３の背面（機器本体側の面）にて上端寄りの略中央に設けられている。突部３５の形成位置は、スライド蓋３の背面にてその移動方向と直交する方向において対をなす２つの突軸３１，３２が形成された位置の中央が望ましいが、この中央位置と突軸３２の形成位置との間に設けてもよい。なお本例では、突軸３１、３２がスライド蓋３の外周面の上端寄りに形成され、突軸３３，３４がスライド蓋３の外周面の下端寄りに形成されている。また本例では、突部３５を１つだけスライド蓋３に形成しているが、複数の突部を形成しても構わない。突軸３１，３２の近傍にてスライド蓋３の側面には、摺動部（リブ）３１ａ，３２ａがそれぞれ設けられている。突軸３３、３４の先端はそれぞれ摺動部３３ａ，３４ａとなっている。ばね掛け部３ｂは突部３５と突軸３１との間に設けられ、後述する反転ばねが取り付けられる。
【００１１】
図４はジャックホルダー４を外観側から見た場合の斜視図である。ジャックホルダー４には、複数のレール４１乃至４５が形成されている。第１のガイドレールを構成するレール４１乃至４４（図の点線枠参照）は、スライド蓋３の突軸３１乃至３４をそれぞれスライドさせるためのレールである。ただし、レール４２はスライド蓋３が閉状態であるときには突軸３２をガイドするが、途中で途切れているために、スライド蓋３が閉状態から開状態になる途中で途切れることとなる。一方でレール４５は突部３５をスライドさせるための第２のガイドレールである。レール４５は、スライド蓋３が閉状態から開状態になる途中、突軸３２がレール４２にガイドされなくなると突部３５をガイドするようになる。レール４３，４４の脇には、スライド蓋３の摺動部３３ａ，３４ａが摺動するための壁４３ａ，４４ａがそれぞれ設けられている。ばね掛け部４ａには後述する反転ばねが取り付けられ、レール４１と４５との間に開口部４ｂが形成されている。ジャックホルダー４の上部に形成された突部４６には開状態でスライド蓋３の上縁部が当接する。つまり突部４６はスライド蓋３の開位置を規定する位置決め部である。なお、ジャックホルダー４には外部接続端子５の配置用孔４ｃが形成されている。
【００１２】
図５は本体カバー２に設けたガイドレールを説明する図であり、裏側から見た場合の斜視図である。図５（Ａ）はスライド蓋３の閉状態を示し、図５（Ｂ）はスライド蓋３の開状態を示す。なお、ジャックホルダー４は説明のために外してあるものとする。
本体カバー２の裏面には、レール２１乃至２４（図の点線枠参照）が形成されており、これらはスライド蓋３の突軸３１乃至３４をそれぞれスライドさせるためのガイドレールである。またレール２１，２２の内側には、スライド蓋３の摺動部３１ａ，３２ａを摺動させるための壁２１ａ，２２ａがそれぞれ設けられている。レール２３，２４の下部にそれぞれ形成された位置決め部２３ｂ，２４ｂは、スライド蓋３に当接してその閉位置を規定する。
以上から、スライド蓋３の突軸３１は本体カバー２に設けられたレール２１とジャックホルダー４に設けられたレール４１に沿ってスライドする。同様に、スライド蓋３の突軸３３，３４は、それぞれ本体カバー２に設けられたレール２３，２４とジャックホルダー４に設けられたレール４３，４４に沿ってスライドする。一方、スライド蓋３の突軸３２は、スライド蓋３が閉状態のときには本体カバー２に設けたレール２２とジャックホルダー４に設けたレール４２にガイドされるが、スライド蓋３が開状態へと移動する途中でレール４２にはガイドされなくなる。一方で、スライド蓋３の突部３５は、突軸３２がレール４２にガイドされなくなると、ジャックホルダー４に設けられたレール４５にガイドされる。
【００１３】
図６は、スライド蓋３とジャックホルダー４を本体カバー２に取り付けた状態で、本体カバー２の裏面側から見た図である。図６（Ａ）はスライド蓋３の閉状態を示し、図６（Ｂ）はスライド蓋３の開状態を示す。
反転ばね７はスライド蓋３の開閉位置を制御する付勢手段である。反転ばね７は、その一方の端部がスライド蓋３のばね掛け部３ｂに対して回転可能に取り付けられ、他方の端部がジャックホルダー４のばね掛け部４ａに対して回転可能に取り付けられている。これにより、反転ばね７が回転して、図６（Ａ）から図６（Ｂ）の状態になるまでの間、反転ばね７がスライド蓋３の動きを妨げることはない。また反転ばね７はジャックホルダー４の開口部４ｂ内に収まっているため、ジャックホルダー４の周囲に反転ばね用のスペースを確保する必要はない。板金部材８は、ジャックホルダー４を本体カバー２にねじ等で固定するのに用いる部材である。
【００１４】
次に、スライド蓋３の動作について、図７（Ａ）乃至（Ｃ）を用いて説明する。図７は、ジャックホルダー４に組み付けたスライド蓋３を外観側から見た場合の斜視図である。
スライド蓋３は、閉状態にて図７（Ａ）に示すように反転ばね７の力で下方向に付勢されている。スライド蓋３の突軸３３，３４は本体カバー２の位置決め部２３ｂ，２４ｂにそれぞれ突き当たることで位置決めされている。この閉状態において、スライド蓋３の突軸３１乃至３４は、ジャックホルダー４のレール４１乃至４４上にそれぞれ支持される。本体カバー２に対して、スライド蓋３は図５（Ａ）の状態にあり、スライド蓋３の突軸３１乃至３４は、本体カバー２のレール２１乃至２４上にそれぞれ支持される。図７（Ｂ）に示すように、操作者がスライド蓋３を開き方向へスライドさせると、スライド蓋３の突軸３１，３３，３４はジャックホルダー４のレール４１，４３，４４上をそれぞれ摺動する。これに対し、突軸３２はレール４２を外れ、突部３５がジャックホルダー４のレール４５上を摺動する。このとき、本体カバー２では、スライド蓋３の突軸３１乃至３４が各レール２１乃至２４上にある。そして図７（Ｃ）に示すように、スライド蓋３が反転ばね７の力によって上方へ付勢され、ジャックホルダー４の上部に設けられた突部４６に突き当たることで、スライド蓋３の移動が開状態で停止する。このとき、本体カバー２では、スライド蓋３の突軸３１乃至３４が各レール２１乃至２４上にある（図５（Ｂ）参照）。
【００１５】
このように、閉状態からスライド動作が開始して、スライド蓋３の突軸３１，３３，３４がジャックホルダー４のレール４１，４３，４４上をそれぞれスライドする。そしてスライド蓋３が開状態となるまでは、スライド蓋３の突軸３１，３３，３４がレール４１，４３，４４上をそれぞれスライドし、突部３５がレール４５上をスライドする。その際、本体カバー２では、突軸３１乃至３４が各レール２１乃至２４上をスライドする。突部３５は、スライド蓋３の上部の略中央又は中央位置と突軸３２との間に設けられるため、スライド蓋３が表面から押されても、突部３５がレール４５上で支持される。よって、スライド蓋３がビデオカメラ本体の内部に落ち込まないように防止できる。また、スライド蓋３の左右方向、つまり突軸３１乃至３４に沿う方向において、摺動部３１ａ，３２ａが本体カバー２の壁２１ａ，２２ａにそれぞれ規制される。また摺動部３３ａ，３４ａはジャックホルダー４の壁４３ａ，４４ａによってそれぞれ規制される。このため、スライド蓋３が左右方向にて斜めに傾いた状態になってビデオカメラ本体の内部に落ち込んだり、レール上で引っ掛かってスライドしなくなるといった事態を回避できる。
以上のように、スライド蓋３のスライド動作には、ジャックホルダー４のレール４１，４３乃至４５が使用され、突軸３２をスライドさせるためのレール（レール４２の開状態部分）をジャックホルダー４に形成する必要がない。従って、図６（Ａ）の点線枠Ａに示す範囲には、突軸３２用のガイドレールが不要となる分のスペースが空くので、省スペース化に寄与する。
【００１６】
本実施形態では、スライド蓋３の移動に用いるガイドレールをスライド蓋３の移動途中で変更する（レール４２，４５参照）。つまり、スライド蓋３が閉状態から開状態へ移動する途中で、突軸３１乃至３４のうち少なくとも１つの突軸３２がレール４２から外れて突部３５がレール４５と当接する。これにより、レール４２は閉状態のガイド以外不要になるために短くすることができ、省スペースでありながらインナースライド式の開閉機構を実現できる。また、スライド蓋３の開閉動作を制御する反転ばね７は、ジャックホルダー４とスライド蓋３の間でのみ回動可能であり、外観にもジャックホルダー４の外部にもはみ出ることはない。よって反転ばね７のためのスペースを余分に取る必要はなく、反転ばね７が回動してもジャックホルダー４の開口部４ｂ内に収まった状態で、スライド蓋３の動作を制御できる。
以上、本発明を好適な実施形態に基づいて詳述したが、本発明は上記した特定の実施形態に限られるものではなく、本発明の要旨を逸脱しない範囲の様々な形態も本発明の技術的範囲に含まれる。例えば、上記実施形態では、スライド蓋３の付勢手段に反転ばね７を用いたが、板ばね等を用いてもよい。また上記実施形態ではガイドレールを備えたジャックホルダーを例示したが、これに限らず、例えば記録媒体収納部のカバーであってもよい。
【符号の説明】
【００１７】
１  ビデオカメラ
２  本体カバー
３  スライド蓋
４  ジャックホルダー（レール部材）
７  反転ばね（付勢手段）
２１ａ，２２ａ  壁
２３ｂ，２４ｂ，４６  位置決め部
３１ａ，３２ａ，３３ａ，３４ａ  摺動部
３１乃至３４  突軸
３５  突部
４１乃至４４  第１のガイドレール
４３ａ，４４ａ  壁
４５  第２のガイドレール
【図１】
0005121913.tif 000002
【図２】
0005121913.tif 000003
【図３】
0005121913.tif 000004
【図４】
0005121913.tif 000005
【図５】
0005121913.tif 000006
【図６】
0005121913.tif 000007
【図７】
0005121913.tif 000008